(57)【要約】 【課題】一部分に他の部分よりも強い磁力を備えることで湾曲する黒板でもスクリーンシートを皺や弛みなく綺麗に貼りつけることができるうえ、黒板等から取り外すときには大きな力を必要としないマグネット式スクリーン装置を提供する。【解決手段】マグネット式スクリーン装置１は、前面側にスクリーン面３を有するとともに、後面側に磁力を有するスクリーンシート２と、巻取ロール５と、スクリーンシート２の磁力よりも強い磁力を有し、貼付状態でスクリーン面３の巻取ロール５側に位置することで、スクリーンシート２を安定した状態で貼付することができるマグネットラバー９と、貼付状態で貼付対象面との間に隙間を形成する密着阻害手段（縫糸６）、又は、固定用磁性体が貼付姿勢から、対象面に作用する磁力が小さくなる屈曲姿勢に姿勢変更可能とする屈曲案内手段と、を備える。【選択図】図１
2020098256.tif 000002
【特許請求の範囲】
【請求項１】
前面側にスクリーン面を有するとともに、後面側に磁力を有するスクリーンシートと、
該スクリーンシートを巻き取る巻取ロールと、
前記スクリーンシートの磁力よりも強い磁力を有し、貼付状態で前記スクリーン面の前記巻取ロール側に位置することで、前記スクリーンシートを安定した状態で貼付することができる固定用磁性体と、
貼付状態で該固定用磁性体又は前記スクリーンシートと貼付対象面との間に隙間を形成する密着阻害手段、又は、前記固定用磁性体が貼付姿勢から、貼付姿勢よりも貼付対象面に作用する磁力が小さくなる屈曲姿勢に姿勢変更可能とする屈曲案内手段と、を備えてなることを特徴とするマグネット式スクリーン装置。
【請求項２】
前記固定用磁性体、及び、前記密着阻害手段又は前記屈曲案内手段を、前記スクリーンシートの略全幅に亘って設けてなる請求項１記載のマグネット式スクリーン装置。
【請求項３】
前記密着阻害手段として、前記固定用磁性体又は前記スクリーンシートの貼付面側に小突起を設けてなる請求項１又は２記載のマグネット式スクリーン装置。
【請求項４】
前記小突起が、前記固定用磁性体を前記スクリーンシートに取り付けるための固定手段によって形成されてなる請求項３記載のマグネット式スクリーン装置。
【請求項５】
前記固定手段として、前記固定用磁性体を前記スクリーンシートに縫糸で縫い付けて固定し、該縫糸が前記小突起を形成してなる請求項４記載のマグネット式スクリーン装置。
【請求項６】
前記屈曲案内手段として、前記固定用磁性体の貼付面側に長手方向に延びる凹条又は段部を設けてなる請求項１又は２記載のマグネット式スクリーン装置。
【発明の詳細な説明】
【技術分野】
【０００１】
本発明は、黒板等の壁面に用いるマグネット式スクリーン装置に関わり、更に詳しくは、湾曲する黒板等であっても皺や弛みを生じずスクリーンシートを綺麗に貼ることができ、また、スクリーンシートを黒板等から剥がすときには大きな力を必要としないマグネット式スクリーン装置に関するものである。
【背景技術】
【０００２】
従来、マグネット式スクリーンとして、磁性を帯びる投映部材を巻取り及び引延し可能な巻き取り手段と、巻き取られた投映部材を収納する収納部を備えたロール式のマグネット式スクリーンがある（特許文献１参照）。
【０００３】
このマグネット式スクリーンは、先端部を手でつかんで収納部から引き出し、黒板に投映部材の投映面の裏面を合わせると磁力により黒板に固定され、手を離してもその固定状態が保持されるものであり、これにより、黒板が通常のスクリーンと同様に使用することが可能となるものである。
【０００４】
しかし、このようなマグネット式スクリーンでは、貼付対象面と筐体の投影部材の出入口との、貼付面に対する垂直方向のギャップによって、投影部材の貼付作業中に、巻取ロールと投影部材との間に張力が生じ、投影部材の上端部分を綺麗に貼り付けることができず、また、貼り付けることができたとしても張力の影響によって投影部材に皺や弛みが生じることも多く、フラットで綺麗なスクリーン面を形成することが困難であった。このような課題と解決するものとして、スクリーン面よりも上側の貼着面に、帯形状のマグネットラバーを設けたものが考えられた。しかし、このようなマグネットラバーを用いて、一部分の磁力を単に強くすると、マグネット式スクリーンを剥がすときに大きな力が必要となり、取外し作業に手間がかかるものとなるとともに、マグネットシートに大きな負担が生じ、シート自体の歪みや破損にもつながってしまうものとなっていた。
【先行技術文献】
【特許文献】
【０００５】
【特許文献１】実用新案登録第３０９３２８７号公報
【発明の概要】
【発明が解決しようとする課題】
【０００６】
そこで、本発明が前述の状況に鑑み解決しようとするところは、スクリーンシートの一部分に他の部分よりも強い磁力を備えることで湾曲する黒板でもスクリーンシートを皺や弛みなく綺麗に貼りつけることができるうえ、黒板等から取り外すときには大きな力を必要としないマグネット式スクリーン装置を提供する点にある。
【課題を解決するための手段】
【０００７】
本発明に係るマグネット式スクリーン装置は、前記課題解決のために、前面側にスクリーン面を有するとともに、後面側に磁力を有するスクリーンシートと、該スクリーンシートを巻き取る巻取ロールと、前記スクリーンシートの磁力よりも強い磁力を有し、貼付状態で前記スクリーン面の前記巻取ロール側に位置することで、前記スクリーンシートを安定した状態で貼付することができる固定用磁性体と、貼付状態で該固定用磁性体又は前記スクリーンシートと貼付対象面との間に隙間を形成する密着阻害手段、又は、前記固定用磁性体が貼付姿勢から、貼付姿勢よりも貼付対象面に作用する磁力が小さくなる屈曲姿勢に姿勢変更可能とする屈曲案内手段と、を備えてなるものである。
【０００８】
この構成によれば、強い磁力を有する固定用磁性体でスクリーンシートの巻取ロール側を強固に貼付することができ、スクリーンシートを綺麗に貼りつけることができるとともに、密着阻害手段又は姿勢変更手段によって取外し作業を容易に行なうことができる。
【０００９】
ここで、前記固定用磁性体、及び、前記密着阻害手段又は前記屈曲案内手段を、前記スクリーンシートの略全幅に亘って設けてなると好ましい。
【００１０】
この構成によれば、スクリーンシートの略全福に亘ってスクリーンシートをより綺麗に貼り付けることができる。
【００１１】
また、前記密着阻害手段として、前記固定用磁性体又は前記スクリーンシートの貼付面側に小突起を設けてなると、より好ましい。
【００１２】
この構成によれば、密着阻害手段を容易に構成することができ、安価に製造することができるものとなる。また、スクリーンシートの貼付け作業において、黒板とスクリーンシートとの間に入る空気を、小突起間の隙間から抜くことができ、より簡易に綺麗なスクリーン面を形成することができる。
【００１３】
さらに、前記小突起が、前記固定用磁性体を前記スクリーンシートに取り付けるための固定手段によって形成されてなるものであってもよい。
【００１４】
この構成によれば、密着阻害手段を容易に構成することができ、より安価に製造することができる。
【００１５】
さらにまた、前記固定手段として、前記固定用磁性体を前記スクリーンシートに縫糸で縫い付けて固定し、該縫糸が前記小突起を形成してなるものとすることができる。
【００１６】
この構成によれば、縫糸による縫い付けによって固定用磁性体を固定するとともに、小突起を構成することができ、更に簡易な構成とすることができ、製造上においても有利なものとなる。
【００１７】
また、前記屈曲案内手段として、前記固定用磁性体の貼付面側に長手方向に延びる凹条又は段部を設けてなるものとすることもできる。
【００１８】
この構成によれば、屈曲案内手段を簡易な構成で得ることができる。
【発明の効果】
【００１９】
本発明に係るマグネット式スクリーン装置によれば、スクリーンシートの一部分に他の部分よりも強い磁力を備えることで、湾曲する黒板であってもスクリーンシートを皺や弛みなく綺麗に貼りつけることができるうえ、大きな力を必要とせず黒板等から取り外すことができる。
【図面の簡単な説明】
【００２０】
【図１】本発明の実施形態に係るマグネット式スクリーン装置を黒板に設置した状態を示す斜視図である。
【図２】同じくマグネット式スクリーン装置の構成を示す正面図である。
【図３】同じくマグネット式スクリーン装置の設置状態を示す側面図である。
【図４】同じくマグネット式スクリーン装置の設置状態におけるマグネットラバー等の部分拡大図であって、（ａ）はマグネットラバーの貼付姿勢、（ｂ）はマグネットラバーの屈曲姿勢を示すものである。
【図５】本発明の他の実施形態に係るマグネット式スクリーン装置の構成を示すマグネットラバー等の部分拡大図であって、（ａ）はマグネットラバーの貼付姿勢、（ｂ）はマグネットラバーの屈曲姿勢を示すものである。
【図６】本発明の更に他の実施形態に係るマグネット式スクリーン装置の構成を示すマグネットラバー等の部分拡大図であって、（ａ）はマグネットラバーをスクリーンシートと上黒部との間に介装されたもの、（ｂ）はマグネットラバーの貼付面に小突起を一体的に設けたものである。
【発明を実施するための形態】
【００２１】
以下、本発明の実施形態を添付図面に基づき詳細に説明するが、本発明は、添付図面に示された形態に限定されず特許請求の範囲に記載の要件を満たす実施形態の全てを含むものである。
【００２２】
本明細書において、スクリーン面側をマグネット式スクリーン装置の前面、これの反対面である貼付面側をマグネット式スクリーン装置の後面とする。また、スクリーン面の巻取ロール側とは、スクリーン面の領域内外を問わず、巻取ロールに近い側の部分というものとし、具体的には、スクリーン面内の巻取ロールに近い方の端部、スクリーン面よりも巻取ロールに近い部分、及び、これらの近傍領域全てを含み、表面側、裏面側を問わないものとする。さらに、屈曲姿勢とは、所定部分が屈曲して貼付対象面から離間することで、貼付姿勢よりも貼付対象面に作用する磁力が小さくなる姿勢といい、屈曲案内手段とは、貼付姿勢から屈曲姿勢への姿勢変更を案内するものであって、この案内は所定の位置での屈曲を案内するものをいう。また、磁性体とは、磁性を帯びた物体を広くいうものとする。
【００２３】
本実施形態に係るマグネット式スクリーン装置１は、図１乃至図３に示すように、黒板Ｂの上桟枠Ｂａに取り付けることで黒板Ｂの一部を映写用のスクリーンとしても使用することができるものであって、前面側にスクリーン面３を有するとともに後面側に磁力を有するスクリーンシート２と、スクリーンシート２を巻き取る巻取ロール５と、この巻取ロール５を回転可能に支持、収容する筐体７とが設けられたものであり、スクリーンシート２と巻取ロール５との間には、上黒部４が設けられている。また、スクリーンシート２の上辺部の貼付面側には、固定用磁性体として帯状のマグネットラバー９がスクリーンシート２の全幅に亘って設けられている。
【００２４】
ここで、マグネット式スクリーン装置１は、映写用のスクリーンとして使用するものであるが、これに限定されず、例えば電子黒板やホワイトボードとしても使用することができる。また、貼付対象面の形状は、図１に示すような湾曲（凹曲）する面に限らず、平坦面や凸曲する面等の他の形状のものであってもよい。
【００２５】
スクリーンシート２は、前面側がスクリーン面３として、後面側はスクリーンシート２が黒板等に貼付可能な磁力を有するものとして構成されている。スクリーンシート２の上側には、スクリーンとして使用しない上黒部４が連接され、この上黒部４とスクリーンシート２との連接部分にマグネットラバー９が設けられている。
【００２６】
スクリーン面３は、スクリーンシート２の前面側に構成されている。このスクリーン面３にプロジェクターから投影された映像が映し出されて、使用者は映像を視聴することができる。なお、スクリーン面３は、図示するようなスクリーンシート２の前面側の全領域に設けられたものに限らず、スクリーンシート２の一部や両面に設けられたものであってもよく、又、別体を用いて構成されたもの等、他の全ての態様のものを採用することができる。
【００２７】
上黒部４は、スクリーンシート２の上側に、両部材の端部が互いに重なる状態で縫合され固定されている。この縫合部分は、前側が上黒部４、後側がスクリーンシート２となるように重ね合せられており、仮に縫糸６よりも上側のスクリーンシート２が垂れてしまうこととなっても、これが使用者側となる前面側には表れず、スクリーン面３を邪魔することとならないため、スクリーンとして好ましい仕様となっているが、前側がスクリーンシート２、後側が上黒部４となる構成としてもよい。なお、この上黒部４は伸縮性を有することで、貼付対象面と、筐体７のスクリーンシート２の出入口とのギャップを解消するものとなっているが、このような構成は必須ではなく、他の構成によってギャップを解消してもよい。
【００２８】
巻取ロール５は、円筒形状であって筐体７内に収容されており、この巻取ロール５には、スクリーンシート２を巻き取る方向に回転付勢するバネ部材が取付けられている。このバネ部材により、スクリーンシート２は常に又は必要時に、巻取ロール５から巻き取る方向の力を受け、少なくともスクリーンシート２の自重によってスクリーンシート２が繰出されないように回転規制されている。なお、このような構成による回転規制は、ロール式スクリーン装置では一般的なものであるが、この回転規制によって、スクリーンシート２の貼付け作業では、黒板Ｂに先に貼り付けたスクリーンシート２の下部と、回転規制されている巻取ロール５との間で張力が生じ、スクリーンシート２の上端部をスクリーンシート２の磁力のみで綺麗に貼り付けることは困難な状態となる。このため、マグネット式スクリーン装置１では、スクリーンシート２の上端部には、固定用磁性体として帯状のマグネットラバー９を設けている。このマグネットラバー９は、スクリーンシート２に縫糸６で縫い付けられて固定されている。また、スクリーンシート２の自動又は半自動の回転手段が設けられることで、利便性の高いものとなるが、具体的な構成として、例えば電動式の駆動装置を採用することができる。
【００２９】
縫糸６は、上黒部４とスクリーンシート２とマグネットラバー９とを縫合し、これらを一体的に固定している。この縫糸６は、これらに対してミシン縫いされることで、最前面及び最後面にミシン目を形成し、このミシン目に形成された縫糸６が、マグネットラバー９の領域内に複数の列状の小突起として構成され、密着阻害手段として作用するものとなっている。ここで、上黒部４とスクリーンシート２とマグネットラバー９は、縫合されるとともに、互いが接着剤で接着されているため、これらは縫合部分以外であっても一体となっている。この接着は、縫合前の仮固定にも利用され、製造を容易に行なうことができるものとなっているが、このような接着は必須ではなく、縫合のみによる一体化を行なったものによれば、各構成部材の自由度を高いものとし、巻取ロール５への巻付けを行なうロール式のマグネット式スクリーンとして、より好適なものとすることができる。
【００３０】
また、縫糸６は、帯状のマグネットラバー９の幅方向略中央に二本平行して設けられている。この二本の縫糸６，６によってマグネットラバー９は、幅方向に上下に分けられ、貼着状態においては、図４（ａ）に示すように、マグネットラバー９が上部分９ａと下部分９ｂとに分かれて磁着していることとなる。また、上部分９ａと下部分９ｂとの間の中間部分９ｃについては、二本の縫糸６，６によって貼着部分から離間するものとなるものの、上部分９ａ及び下部分９ｂよりも小さな磁力を貼着対象面に作用するものとなっている。
【００３１】
マグネットラバー９を取り外すときには、スクリーンシート２を手前側に引っ張ることで、図４（ｂ）に示すように、まずマグネットラバー９の下部分９ｂが外れ、続けて中間部分９ｃ、最後に上部分９ａが外れることで、段階的に取り外すことなり、全てを一度に剥がす必要はなく、大きな力を必要としない。このように、縫糸６は、屈曲案内手段としても効果を奏するものとなっている。なお、縫糸６は、磁性を有しない糸材よりなるものとすることで、中間部分９ｃの磁着力をより小さくするものとなっているが、このような素材に限らず、磁性を有するものであってもよいし、また、縫糸６の本数や縫い方についても、マグネット式スクリーン装置１では、二本平行に縫い付けられることで効率良く安定した磁着状態を得るものとしているが、一本や三本以上であってもよく、平行でない状態で縫い付けられたものであってもよい。
【００３２】
マグネットラバー９は、帯板状の磁性を帯びたラバー体であって、スクリーンシート２よりも強い磁力を有するものである。スクリーンシート２の端部に設けられたマグネットラバー９が、スクリーンシート２よりも強い磁力を有することで、貼付状態のスクリーンシート２の上端部が上黒部４によって上斜め前方に引っ張られても、黒板Ｂから剥がれることがなく、皺なども生じず綺麗なスクリーン面３を形成、維持することができる。また、このマグネットラバー９は可撓性を有するため、凹曲する黒板に対しても問題なく密着し、強く磁着することができるものとなっている。このようにマグネットラバー９は、スクリーンシート２の特に端部が黒板Ｂから剥がれることを防止するため、強い磁力を有するものとなっているにも関わらず、このマグネットラバー９は、後述するように密着阻害手段を備えることで、大きな力を必要とせず容易に黒板Ｂから取り外すことができる。なお、この密着阻害手段の代わりに姿勢変更手段が設けられたものであっても同様の効果を奏するものとなる。
【００３３】
マグネット式スクリーン装置１における密着阻害手段は、マグネットラバー９の貼付面側に設けられた複数の小突起状の縫糸６で構成されている。マグネットラバー９の貼付面側に複数の小突起が設けられることで、貼付状態にあるマグネットラバー９を剥がす際に、これらの小突起が支点となって力が作用するため、マグネットラバー９の取外し作業を容易に行ない得るものとなっている。つまり、密着阻害手段を備え、且つ、マグネットラバー９が可撓性を有することによって、大きな力を必要とせず容易に取外し作業を行なうことができるマグネット式スクリーン装置１となっている。また、密着阻害手段としては、図示するように縫目状の複数の小突起に限らず、他の構成を採用することができるが、このような小突起のように、貼着状態でマグネットラバー９の長手方向における隙間を形成し、マグネットラバー９と黒板Ｂとの間を上下方向に通気するものとして構成したものによれば、スクリーンシート２の貼付け作業において、スクリーンシート２と黒板Ｂとの間に入った空気を上方（巻取ロール５への方向）に抜くことができ、スクリーンシート２の貼着作業をより簡易的なものとすることができる。
【００３４】
また、固定用磁性体は、縫糸６が直線状に設けられていることで、取外し作業において、貼付姿勢から、貼着対象面に作用する磁力が小さくなる屈曲姿勢に変更する屈曲案内手段として機能するものとなっている。なお、屈曲案内手段は、小突起以外にも、凹条や段部設けられることで構成されたものであってもよい。
【００３５】
筐体７は細長い長方体形状であって、スクリーンシート２を繰り出す側の面には、スクリーンシート２よりも大きい寸法の幅と厚みを有するスリットが設けられており、このスリットからスクリーンシート２が繰り出される。また、このスリットは、スクリーンシート２の先端側に設けられた下端バー８よりも小さい寸法の幅で形成されている。このため、スクリーンシート２の巻取時に、スクリーンシート２を全て巻き取ると、この下端バー８がスリットを通過できず筐体７に当接することで巻取りが完了する。
【００３６】
図５には、本発明に係るマグネット式スクリーン装置の固定用磁性体の別の実施形態を示す。
【００３７】
図５（ａ）に示すように、この固定用磁性体９Ａは、貼着面に長手方向に延びる複数の凹条１０，１０を設けてなる剛性を有する磁性体であって、この凹条１０内を縫糸６で縫合している。このため、縫糸６は、貼付対象面である黒板Ｂには接触せず、より安定した貼着状態を得ることができる。この構成では、縫糸６は密着阻害手段としては機能しないが、凹条１０が屈曲案内手段として機能するものとなる。
【００３８】
固定用磁性体９Ａを取り外すときには、スクリーンシート２を手前に引っ張って黒板Ｂから引き剥がし、続けてスクリーンシート２を引っ張ることで、図５（ｂ）に示すように、まず固定用磁性体９Ａが屈曲して、下部分が黒板Ｂから離間し、中間部及び上部分が黒板Ｂに磁着している状態となる。このとき、固定用磁性体９Ａは、下部分が離間するように屈曲し第一屈曲姿勢となっている。次にスクリーンシート２を更に引っ張ることで、固定用磁性体９Ａの中間部も黒板Ｂから離間し、固定用磁性体９Ａは第二屈曲姿勢となる。最後に、残りの上部も黒板Ｂから離間させることで、固定用磁性体９Ａを黒板から剥がすことができる。このように、固定用磁性体９Ａでは、二本の凹条１０，１０が屈曲案内手段として機能することで、黒板Ｂからの離間が段階的に行なわれるものとなり、取外し作業に必要となる力は小さくすむものとなっている。
【００３９】
図６には、本発明に係るマグネット式スクリーン装置の固定用磁性体の更に別の実施形態を示す。
【００４０】
図６（ａ）に示すように、固定用磁性体９Ｂは、スクリーンシート２と上黒部４との間に介装された剛性を有する磁性体であり、この構成では、縫糸６による小突起は、スクリーンシート２の貼着面に設けられるものとなる。このような構成によれば、スクリーンシート２を取り外す際、スクリーンシート２を手前側に引っ張ることで、固定用磁性体９Ａを下側から順次引き剥がすことができ、スクリーンシート２の取外しをよりスムーズに行うことができる。つまり、この縫糸６は、密着阻害手段及び姿勢変更手段として機能するものとなっている。
【００４１】
図６（ｂ）に示すように、固定用磁性体９Ｃは、貼着面に複数の小突起１１が設けられた剛性を有する磁性体である。この小突起１１は、固定用磁性体９Ｃに一体的に形成されているため、当然に磁性を有するが、このような構成であっても、これらの小突起１１が支点となってスクリーンシート２の取外し作業は容易に行なうことができる。つまり、この小突起１１は、密着阻害手段及び姿勢変更手段として機能するものとなっている。また、この固定用磁性体９Ｃでは、スクリーンシート２と上黒部４と固定用磁性体９Ｃは、接着剤でのみ固定されており、縫糸による縫合はなされていない。
【００４２】
何れの実施形態においても、その他の構成については、マグネット式スクリーン装置１と同様であり説明は省略する。
【００４３】
以上の説明においては、スクリーンシートはシート全体に貼着力を有するものを示したが、スクリーンシートはこのようなものに限定されるものではなく、部分的に磁力や接着力等を有するものとすることで、取り外し易いものとして構成してもよい。また、筐体がスクリーンシートの上側に配置する状態で使用するものに限らず、筐体が下側に配置されスクリーンシートを上方に展張するものや、筐体が左右何れか一方に配置されスクリーンシートを左右方向に展張するものであってもよい。さらに、取付部については、黒板等の既設の設備に固定するものでなくてもよく、例えば、取付対象に左右方向にのびるレール部材を固定し、このレールにスライド可能に取付部を係合させてなるものとすると、マグネット式スクリーン装置をレール部材の範囲内で移動させることができ、設置場所をより自由に設定することができる。
【符号の説明】
【００４４】
１     マグネット式スクリーン装置
２     スクリーンシート
３     スクリーン面
４     上黒部
５     巻取ロール
６     縫糸
７     筐体
８     下端バー
９     マグネットラバー
９ａ   上部分
９ｂ   下部分
９ｃ   中間部分
９Ａ   固定用磁性体（介装型）
９Ｂ   固定用磁性体（切欠き型）
９Ｃ   固定用磁性体（小突起一体型）
１０   凹条
１１   小突起（一体型）
Ｂ     黒板
Ｂａ   上桟枠
【図１】
2020098256.tif 000003
【図２】
2020098256.tif 000004
【図３】
2020098256.tif 000005
【図４】
2020098256.tif 000006
【図５】
2020098256.tif 000007
【図６】
2020098256.tif 000008